(57)【要約】【課題】  玄関ドアの開閉時における防犯機能を発揮させることができる出入口ドア防犯装置を提供する。【解決手段】  この発明に係る出入口ドア防犯装置は、少なくとも一部が玄関ドアに設けられ、玄関ドアの開閉に伴って検出される信号を受け付ける入力受付部１と、この信号に基づいて玄関ドアの開閉の有無又は玄関ドアの開閉時の周囲の異常状態の有無を判定し、玄関ドアの開閉の有無又は異常状態の有無に応じて所定の動作を行わせるか否かを判定する動作判定部８と、この判定の結果により１又は複数の防犯上の動作を開始する動作開始部８とを備えたものである。【選択図】図１
2010140288.tif 000002
【特許請求の範囲】
【請求項１】
少なくとも一部が出入口ドアに設けられ、出入口ドアの開閉に伴って検出される信号を受け付ける入力受付部と、
前記信号に基づいて出入口ドアの開閉の有無又は出入口ドアの開閉時の周囲の異常状態の有無を判定し、出入口ドアの開閉の有無又は異常状態の有無に応じて所定の動作を行わせるか否かを判定する動作判定部と、
前記判定の結果により１又は複数の防犯上の動作を開始する動作開始部と
を備えた出入口ドア防犯装置。
【請求項２】
前記入力受付部は、出入口ドアのドアハンドルに設けられ、前記ドアハンドルに接触することにより出入口ドアの開閉信号を検出するドアハンドルスイッチであり、
前記動作開始部は、前記開閉信号に基づいて出入口ドアの開放から閉鎖後一定期間までの出入口ドアの周辺の映像を録画する録画部を含むものである、請求項１に記載された出入口ドア防犯装置。
【請求項３】
前記入力受付部は、出入口ドアと出入口ドアを開閉可能に支持するドア枠の出入口ドアの対向面に設けられ、出入口ドアの開閉信号を検出するドア開閉センサと、出入口ドアの閉鎖後に帰宅確認信号を入力するための帰宅確認スイッチであり、
前記動作開始部は、前記開閉信号の検出後一定時間内に帰宅確認信号の入力がないとき警告音を発生する警告音発生部と、前記警告音の発生後一定時間内に前記帰宅確認信号の検出がないとき通信回線を介して本装置を管理する防犯管理センターへ通報する通報部を含むものである、請求項１に記載された出入口ドア防犯装置。
【請求項４】
前記帰宅確認スイッチは、出入口ドアより室内側の任意の位置に選択的に配置可能である、請求項３に記載された出入口ドア防犯装置。
【請求項５】
前記入力受付部は、出入口ドア又は出入口ドア周辺に設けられ、被認証体の近接又は接触により開錠認証及び施錠認証を行い出入口ドアの開錠信号及び施錠信号を出力する開錠認証部及び施錠認証部であり、
前記動作開始部は、開錠信号及び施錠信号に基づいて出入口ドアの錠前を開錠及び施錠する開錠・施錠部と、前記開錠認識後一定時間内に前記施錠認識がないとき警告音を発生する警告音発生部と、警告音の発生後一定時間内に施錠認識がないとき通信回線を介して本装置を管理する防犯管理センターへ通報する通報部を含むものである、請求項１に記載された出入口ドア防犯装置。
【請求項６】
前記被認証体は、個人を特定するため予め登録された生物学的特徴部又は識別符号が電子的に付与されたカードのいずれかである、請求項５に記載された出入口ドア防犯装置。
【請求項７】
前記動作開始部は、前記録画部の録画映像を記録する前記録画部に対して着脱可能なメモリと、前記メモリに記録された録画映像を表示する表示部を含むものである、請求項２に記載された出入口ドア防犯装置。
【請求項８】
前記入力受付部は、出入口ドアと出入口ドアを開閉可能に支持するドア枠の出入口ドアの対向面に設けられ、出入口ドアの開閉信号を検出するドア開閉センサであり、
前記動作開始部は、前記開閉信号に基づいて出入口ドアの開放から閉鎖後一定期間までの出入口ドアの周辺の映像を録画する録画部と、前記録画部の録画開始と同時に出入口ドアの周辺を照射開始するライト照射部と、出入口ドアの周辺の一定値以上の大きさの音声の発生を検出したときに発生した音声を録音する音声録音部と、前記開閉信号の検出後一定時間内に前記一定値以上の大きさの音声の発生を検出したとき警告音を発生する警告音発生部と、前記警告音の発生後一定時間内に前記一定値以上の大きさの音声の発生を検出したとき通信回線を介して本装置を管理する防犯管理センターへ通報する通報部を含むものである、請求項１に記載された出入口ドア防犯装置。
【発明の詳細な説明】
【技術分野】
【０００１】
本発明は、集合住宅等の玄関ドアに防犯機能をもたせるようにした出入口ドア防犯装置に関するものである。
【背景技術】
【０００２】
従来、集合住宅等の玄関ドアには、防犯のために屋内側から戸外を観察可能なドアスコープが設けられていた。このドアスコープは、戸外側に設けられる戸外レンズに半透過膜を形成して、屋内側から戸外を観察する場合には視認性を損なわず、戸外からは屋内が見えないようにするものである（特許文献１）。
【特許文献１】特開２００４−１９７３７５号公報
【発明の開示】
【発明が解決しようとする課題】
【０００３】
従来の集合住宅等の玄関ドアに設けられているドアスコープは、上述のように構成されているので、屋内側から戸外の様子や来訪者を確認することができる。しかし、昨今発生している事件のように玄関ドアの開閉時における居住者の出入りの際に侵入者が押し入った場合等に対処するためのものではなく、さらなる安全性の向上が望まれていた。
この発明は上述のような課題を解決するためになされたもので、玄関ドアの開閉時における防犯機能を発揮させることができる出入口ドア防犯装置を提供することを目的とする。
【課題を解決するための手段】
【０００４】
この発明に係る出入口ドア防犯装置は、少なくとも一部が出入口ドアに設けられ、出入口ドアの開閉に伴って検出される信号を受け付ける入力受付部と、この信号に基づいて出入口ドアの開閉の有無又は出入口ドアの開閉時の周囲の異常状態の有無を判定し、出入口ドアの開閉の有無又は異常状態の有無に応じて所定の動作を行わせるか否かを判定する動作判定部と、この判定の結果により１又は複数の防犯上の動作を開始する動作開始部とを備えたものである。
【０００５】
これにより、出入口ドアの開閉に伴って検出される信号に基づいて出入口ドアの開閉の有無又は出入口ドアの開閉時の周囲の異常状態の有無を判定し、この判定の結果により１又は複数の防犯上の動作を開始するので、出入口ドアの開閉時における防犯のための動作を実行させることができる。
【０００６】
また、この発明に係る出入口ドア防犯装置における入力受付部は、出入口ドアのドアハンドルに設けられ、ドアハンドルに接触することにより出入口ドアの開閉信号を検出するドアハンドルスイッチであり、動作開始部は、開閉信号に基づいて出入口ドアの開放から閉鎖後一定期間の出入口ドアの周辺の映像を録画する録画部を含むものであってもよい。
これにより、出入口ドアの開放から閉鎖後一定期間の出入口ドアの周辺の映像を録画するので、出入口ドアの開閉時における侵入者の映像を録画することができる。
【０００７】
また、この発明に係る出入口ドア防犯装置における入力受付部は、出入口ドアと出入口ドアを開閉可能に支持するドア枠の出入口ドアの対向面に設けられ、出入口ドアの開閉信号を検出するドア開閉センサと、出入口ドアの閉鎖後に帰宅確認信号を入力するための帰宅確認スイッチであり、動作開始部は、開閉信号の検出後一定時間内に帰宅確認信号の入力がないとき警告音を発生する警告音発生部と、警告音の発生後一定時間内に帰宅確認信号の検出がないとき通信回線を介して本装置を管理する防犯管理センターへ通報する通報部を含むものであってもよい。
ここで、防犯管理センターは、出入口ドア防犯装置の防犯状況を集中的に管理する。
【０００８】
これにより、開閉信号の検出後一定時間内に帰宅確認信号の入力がないとき警告音を発生し、警告音の発生後一定時間内に帰宅確認信号の検出がないとき通信回線を介して防犯管理センターへ通報するので、帰宅確認信号の入力がないときに出入口ドアの開閉時における侵入者に対して警告音を発生し、その後さらに防犯管理センターへ通報をすることができる。
【０００９】
また、この発明に係る出入口ドア防犯装置における帰宅確認スイッチは、出入口ドアより室内側の任意の位置に選択的に配置可能であってもよい。
これにより、出入口ドアの開閉時における侵入者が隣室の居住者であっても、帰宅確認スイッチの配置位置を隣室と異なる位置にすることでこの部屋の居住者のみが帰宅確認スイッチから帰宅確認信号を入力することができる。
【００１０】
また、この発明に係る出入口ドア防犯装置における入力受付部は、出入口ドア又は出入口ドア周辺に設けられ、被認証体の近接又は接触により開錠認証及び施錠認証を行い出入口ドアの開錠信号及び施錠信号を出力する開錠認証部及び施錠認証部であり、動作開始部は、開錠信号及び施錠信号に基づいて出入口ドアの錠前を開錠及び施錠する開錠・施錠部と、開錠認識後一定時間内に施錠認識がないとき警告音を発生する警告音発生部と、警告音の発生後一定時間内に施錠認識がないとき通信回線を介して本装置を管理する防犯管理センターへ通報する通報部を含むものであってもよい。
【００１１】
これにより、開錠認識後一定時間内に施錠認識がないとき警告音を発生し、警告音の発生後一定時間内に施錠認識がないとき防犯管理センターへ通報するので、施錠認識がないときに出入口ドアの開閉時における侵入者に対して警告音を発生し、その後さらに防犯管理センターへ通報をすることができる。
【００１２】
また、この発明に係る出入口ドア防犯装置における被認証体は、個人を特定するため予め登録された生物学的特徴部又は識別符号が電子的に付与されたカードのいずれかであってもよい。
これにより、予め登録された生物学的特徴部又は識別符号が電子的に付与されたカードを被認証体として認証することによって居住者を特定して、開錠時及び施錠時に開錠認識及び施錠認識をすることができる。
【００１３】
また、この発明に係る出入口ドア防犯装置における動作開始部は、録画部の録画映像を記録する録画部に対して着脱可能なメモリと、メモリに記録された録画映像を表示する表示部を含むものであってもよい。
これにより、録画部の録画映像を録画部に対して着脱可能なメモリに記録し、メモリに記録された録画映像を表示部で表示することにより、侵入者を確認することができる。
【００１４】
また、この発明に係る出入口ドア防犯装置における入力受付部は、出入口ドアと出入口ドアを開閉可能に支持するドア枠の出入口ドアの対向面に設けられ、出入口ドアの開閉信号を検出するドア開閉センサであり、動作開始部は、開閉信号に基づいて出入口ドアの開放から閉鎖後一定期間の出入口ドアの周辺の映像を録画する録画部と、録画部の録画開始と同時に出入口ドアの周辺を照射開始するライト照射部と、出入口ドアの周辺の一定値以上の大きさの音声の発生を検出したときに発生した音声を録音する音声録音部と、開閉信号の検出後一定時間内に一定値以上の大きさの音声の発生を検出したとき警告音を発生する警告音発生部と、警告音の発生後一定時間内に一定値以上の大きさの音声の発生を検出したとき通信回線を介して本装置を管理する防犯管理センターへ通報する通報部を含むものであってもよい。
【００１５】
これにより、録画部の録画開始と同時に出入口ドアの周辺をライト照射部で照射開始し、出入口ドアの周辺の一定値以上の大きさの音声の発生を検出したときに発生した音声を音声録音部で録音するので、録画部の録画を鮮明にすることができると共に、居住者が侵入者に襲われた際の悲鳴等を録音することができる。
【００１６】
さらに、開閉信号の検出後一定時間内に一定値以上の大きさの音声の発生を検出したとき警告音を発生し、警告音の発生後一定時間内に一定値以上の大きさの音声の発生を検出したとき防犯管理センターへ通報するので、一定値以上の大きさの音声の発生を検出したときに出入口ドアの開閉時における侵入者に対して警告音を発生し、その後さらに一定値以上の大きさの音声の発生が検出されたときに防犯管理センターへ通報をすることができる。
【発明の効果】
【００１７】
この発明によれば、出入口ドアの開閉に伴って検出される信号に基づいて出入口ドアの開閉の有無又は出入口ドアの開閉時の周囲の異常状態の有無を判定し、この判定の結果により１又は複数の防犯上の動作を開始するので、出入口ドアの開閉時における防犯のための動作を実行させることができるという効果がある。
【発明を実施するための最良の形態】
【００１８】
以下、本発明を実施するための最良の形態について、図面を参照しながら、さらに具体的に説明する。
ここでは、マンション等の建物の玄関に設けられる玄関ドアに防犯装置を構成する一部が設けられる例を示す。最初に玄関ドアに一部が設けられる防犯装置の構成を示すブロック図について説明する。
図１は、本発明の実施の形態による玄関ドア防犯装置に適用される各部の構成を示すブロック図である。
この玄関ドア防犯装置は、入力受付部１と、動作判定部８と、動作開始部１３とを備えている。入力受付部１は、少なくとも一部が玄関ドアに設けられ、玄関ドアの開閉に伴って検出される信号を受け付けるように構成される。動作判定部８は、この信号に基づいて玄関ドアの開閉の有無又は玄関ドアの開閉時の周囲の異常状態の有無を判定し、玄関ドアの開閉の有無又は異常状態の有無に応じて所定の動作を行わせるか否かを判定するように構成される。動作開始部１３は、この判定の結果により１又は複数の防犯上の動作を開始するように構成される。
【００１９】
入力受付部１において、ドアハンドルスイッチ２と、ドア開閉センサ３と、帰宅確認スイッチ４と、開錠認証部５及び施錠認証部６と、音声検出部７を示すが、入力受付部１は、以下に述べる実施の形態に応じて、上記のドアハンドルスイッチ２、ドア開閉センサ３及び帰宅確認スイッチ４、ドア開閉センサ３、開錠認証部５及び施錠認証部６、音声検出部７のいずれかを有するように構成される。各部の詳細は、各実施の形態において説明する。
【００２０】
動作判定部８は、制御部１０と、判定部９と、タイマ１１と、メモリ１２とを有している。
制御部１０は、入力受付部１からの玄関ドアの開閉に伴って検出される信号に基づいて動作開始部１３の動作を制御するように構成される。この制御部１０は、例えば、制御を司るＣＰＵと、制御プログラム及び制御情報を記憶するＲＯＭ、ＲＡＭにより構成されている。
【００２１】
判定部９は、この信号に基づいて玄関ドアの開閉の有無又は玄関ドアの開閉時の周囲の異常状態の有無を判定し、玄関ドアの開閉の有無又は異常状態の有無に応じて所定の動作を行わせるか否かを判定するように構成される。
また、タイマ１１は、検出される信号間の期間を計測するように構成され、メモリ１２は、検出される信号の情報や動作開始部の動作の情報を記憶するように構成される。
動作判定部８は、以下に述べる実施の形態において共通に用いられるが、制御部１０のＲＯＭに記憶される制御プログラムは、以下に述べる実施の形態に応じて、異なる内容となる。
【００２２】
動作開始部１３において、ビデオカメラ録画部１４と、警告音発生部１７と、通報部１８と、開錠・施錠部１９と、音声録音部２０と、ライト照射部２１と、表示部１５と、メモリ１６とを示しているが、動作開始部１３は、以下に述べる実施の形態に応じて、ビデオカメラ録画部１４、警告音発生部１７、通報部１８、開錠・施錠部１９、音声録音部２０、ライト照射部２１、表示部１５、メモリ１６のうちのいずれか一つ又は複数を含むように構成される。各部の詳細は、各実施の形態において説明する。
【００２３】
実施の形態１．
実施の形態１の玄関ドア防犯装置では、入力受付部１はドアハンドルスイッチ２により構成され、動作開始部１３はビデオカメラ録画部１４により構成される。
ビデオカメラ録画部１４は、動作判定部８の制御により開閉信号に基づいて玄関ドアの開放から閉鎖後一定期間の玄関ドアの周辺の映像を録画するように構成される。録画映像は、例えば、ビデオカメラ録画部１４内のハードディスク等の記録媒体に保存される。
【００２４】
図２は、実施の形態１の玄関ドア防犯装置のドアハンドルスイッチの取り付けの様子及び操作の様子を示す図である。
ドアハンドルスイッチ２は、玄関ドア２２のドアハンドル２３に設けられ（図２（ｃ））、ドアハンドル２３の把持により（図２（ｄ））、玄関ドア２２の開閉信号を検出するように構成される。
【００２５】
ドアハンドルスイッチ２は、ドアハンドル２３の玄関ドア２２の表面と対向する側に設けられる（図２（ｃ）、図２（ｄ））。ドアハンドルスイッチ２は、玄関ドア２２の開放時のドアハンドル２３の把持により（図２（ｄ））、玄関ドア２２の開閉信号がオンとなり、玄関ドア２２の閉鎖時のドアハンドル２３の開放により玄関ドア２２の開閉信号がオフとなる。ドアハンドルスイッチ２は、一対の接点の接合又は離隔による電圧の変化で玄関ドア２２の開閉信号を検出するように構成されるプッシュ式、一対の接点の接合又は離隔による抵抗値の変化で玄関ドア２２の開閉信号を検出するように構成されるタッチセンサ式等どのようなタイプであってもよい。
ビデオカメラ録画部１４の設置位置は、特定せず、玄関ドア２２の周辺の任意の位置とする。動作判定部８の設置位置は、特定しないが、ビデオカメラ録画部１４と共に設置してもよい。ドアハンドルスイッチ２は、ドアハンドル２３の把持面の一部又は全ての部分に設けられる。
【００２６】
次に動作について説明する。
図３は、実施の形態１の玄関ドア防犯装置の動作を示すフローチャートである。
図３は、動作判定部８の制御プログラムに基づく制御部１０の動作を示している。
まず、動作判定部８の制御部１０は、ドアハンドルスイッチ２からの入力があると制御プログラムを立ち上げてドアハンドルスイッチ２がオンになったか否かを判断する（ステップＳ１）。
【００２７】
判断ステップＳ１で、ドアハンドルスイッチ２がオンになったとき、動作判定部８の制御部１０は、セキュリティシステムを起動する（ステップＳ２）。
次に、動作判定部８の制御部１０は、ビデオカメラ録画部１４に録画を開始させる（ステップＳ３）。
ここで、動作判定部８の制御部１０は、ドアハンドルスイッチ２がオフになったか否かを判断する（ステップＳ４）。
【００２８】
判断ステップＳ４で、ドアハンドルスイッチ２がオフになったとき、動作判定部８の制御部１０は、タイマ１１を起動させる。そして、ドアハンドルスイッチ２がオフになってから予め定められた設定時間が経過したか否かを判断する（ステップＳ５）。
判断ステップＳ５で、設定時間が経過したとき、動作判定部８の制御部１０は、ビデオカメラ録画部１４に録画を終了させる（ステップＳ６）。
そして、動作判定部８の制御部１０は、制御プログラムに従ってセキュリティシステムを終了する（ステップＳ７）。
【００２９】
以上のように、実施の形態１によれば、入力受付部１は、玄関ドア２２のドアハンドル２３に設けられ、ドアハンドル２３の把持により玄関ドア２２の開閉信号を検出するドアハンドルスイッチ２であり、動作開始部１３は、開閉信号に基づいて玄関ドア２２の開放から閉鎖後一定期間の玄関ドア２２の周辺の映像を録画するビデオカメラ録画部１４を含むように構成されているので、玄関ドア２２の開放から閉鎖後一定期間の玄関ドア２２の周辺の映像を録画する。したがって、玄関ドア２２の開閉時における侵入者の映像を録画することができる。
【００３０】
実施の形態２．
実施の形態２においては、入力受付部１はドア開閉センサ３及び帰宅確認スイッチ４により構成され、動作開始部１３は警告音発生部１７及び通報部１８により構成される点が実施の形態１と異なる。それ以外は実施の形態１と同様であるので、以下においては主に第1の実施形態とは異なる点について説明する。
実施の形態２の玄関ドア防犯装置では、帰宅確認スイッチ４は、玄関ドアの閉鎖後に帰宅確認信号を入力するように構成される。
【００３１】
警告音発生部１７は、動作判定部８の制御により開閉信号の検出後一定時間内に帰宅確認信号の入力がないとき警告音を発生するように構成される。
通報部１８は、動作判定部８の制御により警告音の発生後一定時間内に帰宅確認信号の検出がないとき通信回線を介して防犯管理センターへ通報するように構成される。
ここで、防犯管理センターは、玄関ドア防犯装置の防犯状況を集中的に管理する。
【００３２】
図４は、実施の形態２の玄関ドア防犯装置のドア開閉センサの取り付けの様子及び操作の様子を示す図である。
ドア開閉センサ３は、一対の検出部４１、４２を備え、一方の検出部４２が玄関ドア４３に設けられ、他方の検出部が玄関ドア４３を開閉可能に支持するドア枠４４の玄関ドア４３の対向面４５に設けられ、一対の検出部４１、４２の近接又は離隔により玄関ドア４３の開閉信号を検出するように構成される。
【００３３】
前記ドア開閉センサ３は、例えば、マグネットセンサが用いられ、ドア枠４４の玄関ドアの対向面４５に他方の検出部４１を固定して設け、対向する玄関ドア４３にマグネットからなる一方の検出部４２が設けられる。玄関ドア４３の開閉により他方の検出部４１に対して、マグネットからなる一方の検出部４２が近接又は離隔することにより他方の検出部４１で磁界の変化が検出されるため、ドア開閉センサ３から磁界の変化に対応して玄関ドア４３の開放時又は閉鎖時にオン又はオフとなる開閉信号が出力される。
【００３４】
帰宅確認スイッチ４の設置位置は、特定せず、室内側の玄関ドア４３の周辺の任意の位置に選択可能とする。また、スイッチの種類も、ボタンを押すことで帰宅確認信号を入力できるボタン式、カードをかざすことで帰宅確認信号を入力できるカード式、玄関ドアとは別の錠前（シリンダー錠）を施錠することで帰宅確認信号を入力できるシリンダー式などを選択可能とする。
【００３５】
次に動作について説明する。
図５は、実施の形態２の玄関ドア防犯装置の動作を示すフローチャートである。
図５は、動作判定部の制御プログラムに基づく制御部１０の動作を示している。
まず、動作判定部８の制御部１０は、ドア開閉センサ３からの入力があると制御プログラムを立ち上げてドア開閉センサ３がオンになったか否かを判断する（ステップＳ１１）。
【００３６】
判断ステップＳ１１で、ドア開閉センサ３がオンになったとき、動作判定部８の制御部１０は、セキュリティシステムを起動する（ステップＳ１２）。
動作判定部８の制御部１０は、ドア開閉センサ３がオフになったか否かを判断する（ステップＳ１３）。
ここで、動作判定部８の制御部１０は、帰宅確認スイッチ４がオンになったか否かを判断する（ステップＳ１４）。
【００３７】
判断ステップＳ１４で、帰宅確認スイッチ４がオンでないとき、動作判定部８の制御部１０は、タイマ１１を起動させて予め定められた設定時間が経過したか否かを判断する（ステップＳ１５）。
動作判定部８の制御部１０は、判断ステップＳ１５の設定時間が経過するまで、判断ステップＳ１４で、帰宅確認スイッチ４がオンなったか否かの判断を繰り返す。
【００３８】
判断ステップＳ１５で、設定時間が経過したとき、動作判定部８の制御部１０は、警告音発生部１７に警告音を発生させる（ステップＳ１６）。
ここで、動作判定部８の制御部１０は、再度、帰宅確認スイッチ４がオンになったか否かを判断する（ステップＳ１７）。
判断ステップＳ１７で、帰宅確認スイッチ４がオンでないとき、動作判定部８の制御部１０は、タイマ１１を起動させて予め定められた設定時間が経過したか否かを判断する（ステップＳ１８）。
動作判定部８の制御部１０は、判断ステップＳ１８の設定時間が経過するまで、判断ステップＳ１７で、帰宅確認スイッチ４がオンなったか否かの判断を繰り返す。
【００３９】
次に、判断ステップＳ１８で、設定時間が経過したとき、動作判定部８の制御部１０は、通報部に通信回線を介して防犯管理センターへ通報させる（ステップＳ１９）。
そして、動作判定部８の制御部１０は、ステップＳ１９の通報の後と、判断ステップＳ１４及び判断ステップＳ１７で帰宅確認スイッチ４がオンでないとき、制御プログラムに従ってセキュリティシステムを終了する（ステップＳ２０）。
【００４０】
以上のように、実施の形態２によれば、入力受付部１は、玄関ドア４３と玄関ドア４３を開閉可能に支持するドア枠４４の玄関ドアの対向面４５に設けられ、玄関ドア４３の開閉信号を検出するドア開閉センサ３と、玄関ドア４３の閉鎖後に帰宅確認信号を入力するための帰宅確認スイッチ４であり、動作開始部８は、開閉信号の検出後一定時間内に帰宅確認信号の入力がないとき警告音を発生する警告音発生部１７と、警告音の発生後一定時間内に帰宅確認信号の検出がないとき通信回線を介して本装置を管理する防犯管理センターへ通報する通報部１８を含むように構成されているので、開閉信号の検出後一定時間内に帰宅確認信号の入力がないとき警告音を発生し、警告音の発生後一定時間内に帰宅確認信号の検出がないとき通信回線を介して防犯管理センターへ通報するので、帰宅確認信号の入力がないときに玄関ドア４３の開閉時における侵入者に対して警告音を発生し、その後さらに防犯管理センターへ通報をすることができるという効果が得られる。
【００４１】
また、この発明に係る玄関ドア防犯装置における帰宅確認スイッチ４は、玄関ドア４３より室内側の任意の位置に選択的に配置可能のように構成するのが好ましい。このようにすれば、玄関ドア４３の開閉時における侵入者が近隣の居住者であっても、帰宅確認スイッチ４の配置位置を近隣の部屋と異なる位置にすれば、近隣の居住者であっても帰宅確認スイッチ４の配置位置を容易に知ることができないので、居住者のみが帰宅確認スイッチ４から帰宅確認信号を入力することができる。
【００４２】
実施の形態３．
実施の形態３においては、入力受付部１は開錠認証部５及び施錠認証部６により構成され、動作開始部８は警告音発生部１７、通報部１８及び開錠・施錠部１９により構成されるようにした点が実施の形態１と異なる。それ以外は実施の形態１と同様であり、以下においては主に第1の実施形態とは異なる点について説明する。
【００４３】
実施の形態３の玄関ドア防犯装置では、開錠認証部５及び施錠認証部６は、玄関ドア又は玄関ドア周辺に設けられ、被認証体の近接又は接触により開錠認証及び施錠認証を行い玄関ドアの開錠信号及び施錠信号を出力するように構成される。この被認証体は、個人を特定するため予め登録された指紋や顔などの生物学的特徴部又は識別符号が電子的に付与されたＩＣカードのいずれかでよい。
【００４４】
指紋認識の場合の開錠認証部５は、特に配置位置を特定するものではないが、例えば、玄関ドアの室外側のドアハンドルに設け、施錠認証部６は、玄関ドアの室内側の錠前のサムターンに設けてもよい。指紋認識の場合の開錠認証部５及び施錠認証部６は、予め特徴点を抽出して登録されている居住者の人差し指の指紋に対して、認証者の指紋のパターンマッチングを行う。
【００４５】
顔認識やＩＣカード認識の場合の開錠認証部５は、特に配置位置を特定するものではないが、例えば、玄関ドアの室外側のドア表面に設け、施錠認証部６は、玄関ドアの室内側のドア表面に設けてもよい。顔認識の場合の開錠認証部５及び施錠認証部６は、予め顔の形を抽出して登録されている居住者の顔の形に対して、認証者の顔の形のパターンマッチングを行う。ＩＣカード認識の場合の開錠認証部５及び施錠認証部６は、予め登録されている居住者を特定する識別符号に対して、認証者の識別符号の一致検出を行う。
【００４６】
開錠・施錠部１９は、動作判定部８の制御により開錠信号及び施錠信号に基づいて玄関ドアの錠前を開錠及び施錠するように構成される。開錠・施錠部１９は、開錠信号及び施錠信号に基づいて自動的に開錠及び施錠される電子錠でもよいし、開錠信号及び施錠信号に基づいて開錠及び施錠が許可される手動式錠でもよい。
警告音発生部１７は、動作判定部８の制御により開錠認識後一定時間内に施錠認識がないとき警告音を発生するように構成される。
通報部１８は、動作判定部８の制御により警告音の発生後一定時間内に施錠認識がないとき通信回線を介して防犯管理センターへ通報するように構成される。
【００４７】
次に動作について説明する。
図６は、実施の形態３の玄関ドア防犯装置の指紋認識の場合の動作を示すフローチャートである。
図６は、動作判定部８の制御プログラムに基づく制御部１０の動作を示している。ここでは、指紋認識の場合の動作を説明する。
まず、動作判定部８の制御部１０は、開錠認証部５からの入力があると制御プログラムを立ち上げて開錠認証部５が人差し指等の接触により居住者の登録された指紋を認識したか否かを判断する（ステップＳ２１）。
【００４８】
判断ステップＳ２１で、居住者の登録された指紋を認識して開錠認証をしたとき、動作判定部８の制御部１０は、玄関ドアの開錠信号を出力して、この開錠信号に基づいて開錠・施錠部１９を開錠する（ステップＳ２２）。
動作判定部８の制御部１０は、判断ステップＳ２１で、居住者の登録された指紋を認識して開錠認証をすると、玄関ドアの開錠信号を出力すると同時にセキュリティシステムを起動する（ステップＳ２３）。
動作判定部８の制御部１０は、施錠認証部６が人差し指等の接触により居住者の登録された指紋を認識したか否かを判断する（ステップＳ２４）。
【００４９】
判断ステップＳ２４で、施錠認証部６が人差し指等の接触により居住者の登録された指紋を認識しないため施錠認証しないとき、動作判定部８の制御部１０は、タイマ１１を起動させて予め定められた設定時間が経過したか否かを判断する（ステップＳ２５）。
ここで、動作判定部８の制御部１０は、予め定められた設定時間が経過するまで判断ステップＳ２４を繰り返す。
【００５０】
判断ステップＳ２４で、設定時間が経過したとき、動作判定部８の制御部１０は、警告音発生部１７に警告音を発生させる（ステップＳ２６）。
ここで、動作判定部８の制御部１０は、再度、施錠認証部６が人差し指等の接触により居住者の登録された指紋を認識したか否かを判断する（ステップＳ２７）。
判断ステップＳ２７で、施錠認証部６が人差し指等の接触により居住者の登録された指紋を認識しないため施錠認証しないとき、動作判定部８の制御部１０は、タイマ１１を起動させて予め定められた設定時間が経過したか否かを判断する（ステップＳ２８）。
ここで、動作判定部８の制御部１０は、予め定められた設定時間が経過するまで判断ステップＳ２７を繰り返す。
【００５１】
次に、判断ステップＳ２８で、設定時間が経過したとき、動作判定部８の制御部１０は、通報部１８に通信回線を介して防犯管理センターへ通報させる（ステップＳ２９）。
そして、動作判定部８の制御部１０は、ステップＳ２９の通報の後、制御プログラムに従ってセキュリティシステムを終了する（ステップＳ３０）。
また、判断ステップＳ２４及び判断ステップＳ２７で、施錠認証部６が人差し指等の接触により居住者の登録された指紋を認識して施錠認証をしたとき、動作判定部８の制御部１０は、玄関ドアの施錠信号を出力して、開錠・施錠部１９を施錠した後に（ステップＳ３１）、セキュリティシステムを終了する（ステップＳ３０）。
【００５２】
次に、顔認識の場合の動作を説明する。
図７は、実施の形態３の玄関ドア防犯装置の顔認識の場合の動作を示すフローチャートである。図７は、動作判定部８の制御プログラムに基づく制御部１０の動作を示している。
まず、動作判定部８の制御部１０は、開錠認証部５からの入力があると制御プログラムを立ち上げて開錠認証部５が顔の近接により居住者の登録された顔の形を認識したか否かを判断する（ステップＳ４１）。
【００５３】
判断ステップＳ４１で、居住者の登録された顔の形を認識して開錠認証をしたとき、動作判定部８の制御部１０は、玄関ドアの開錠信号を出力して、この開錠人号に基づいて開錠・施錠部１９を開錠する（ステップＳ４２）。
動作判定部８の制御部１０は、判断ステップＳ４１で居住者の登録された顔の形を認識して開錠認証をすると、玄関ドアの開錠信号を出力すると同時にセキュリティシステムを起動する（ステップＳ４３）。
【００５４】
動作判定部８の制御部１０は、施錠認証部６が顔の近接により居住者の登録された顔の形を認識したか否かを判断する（ステップＳ４４）。
判断ステップＳ４４で、施錠認証部６が顔の近接により居住者の登録された顔の形を認識しないため施錠認証しないとき、動作判定部８の制御部１０は、タイマ１１を起動させて予め定められた設定時間が経過したか否かを判断する（ステップＳ４５）。
ここで、動作判定部８の制御部１０は、予め定められた設定時間が経過するまで判断ステップＳ４４を繰り返す。
【００５５】
判断ステップＳ４４で、設定時間が経過したとき、動作判定部８の制御部１０は、警告音発生部１７に警告音を発生させる（ステップＳ４６）。
ここで、動作判定部８の制御部１０は、再度、施錠認証部６が顔の近接により居住者の登録された顔の形を認識したか否かを判断する（ステップＳ４７）。
判断ステップＳ４７で、施錠認証部６が顔の近接により居住者の登録された顔の形を認識しないため施錠認証しないとき、動作判定部８の制御部１０は、タイマ１１を起動させて予め定められた設定時間が経過したか否かを判断する（ステップＳ４８）。
ここで、動作判定部８の制御部１０は、予め定められた設定時間が経過するまで判断ステップＳ４７を繰り返す。
【００５６】
次に、判断ステップＳ４８で、設定時間が経過したとき、動作判定部８の制御部１０は、通報部１８に通信回線を介して防犯管理センターへ通報させる（ステップＳ４９）。
そして、動作判定部８の制御部１０は、ステップＳ４９の通報の後、制御プログラムに従ってセキュリティシステムを終了する（ステップＳ５０）。
また、判断ステップＳ４４及び判断ステップＳ４７で、施錠認証部６が顔の近接により居住者の登録された顔の形を認識して施錠認証をしたとき、動作判定部８の制御部１０は、玄関ドアの施錠信号を出力して、開錠・施錠部１９を施錠した後に（ステップＳ５１）、セキュリティシステムを終了する（ステップＳ５０）。
【００５７】
次に、ＩＣカード認識の場合の動作を説明する。
図８は、実施の形態３の玄関ドア防犯装置のＩＣカード認識の場合の動作を示すフローチャートである。図８は、動作判定部８の制御プログラムに基づく制御部１０の動作を示している。
まず、動作判定部８の制御部１０は、開錠認証部５からの入力があると制御プログラムを立ち上げて開錠認証部５がＩＣカードの接触により居住者の登録された識別符号を認識したか否かを判断する（ステップＳ６１）。
【００５８】
判断ステップＳ６１で、居住者の登録された識別符号を認識して開錠認証をしたとき、動作判定部８の制御部１０は、玄関ドアの開錠信号を出力して、この開錠人号に基づいて開錠・施錠部１９を開錠する（ステップＳ６２）。
動作判定部８の制御部１０は、居住者の登録された識別符号を認識して開錠認証をすると、玄関ドアの開錠信号を出力すると同時にセキュリティシステムを起動する（ステップＳ６３）。
【００５９】
動作判定部８の制御部１０は、施錠認証部６がＩＣカードの接触により居住者の登録された識別符号を認識したか否かを判断する（ステップＳ６４）。
判断ステップＳ６４で、施錠認証部６がＩＣカードの接触により居住者の登録された識別符号を認識しないため施錠認証しないとき、動作判定部８の制御部１０は、タイマ１１を起動させて予め定められた設定時間が経過したか否かを判断する（ステップＳ６５）。
ここで、動作判定部８の制御部１０は、予め定められた設定時間が経過するまで判断ステップＳ６４を繰り返す。
判断ステップＳ６４で、設定時間が経過したとき、動作判定部８の制御部１０は、警告音発生部１７に警告音を発生させる（ステップＳ６６）。
【００６０】
ここで、動作判定部８の制御部１０は、再度、施錠認証部６がＩＣカードの接触により居住者の登録された識別符号を認識したか否かを判断する（ステップＳ６７）。
判断ステップＳ６７で、施錠認証部６がＩＣカードの接触により居住者の登録された識別符号を認識しないため施錠認証しないとき、動作判定部８の制御部１０は、タイマ１１を起動させて予め定められた設定時間が経過したか否かを判断する（ステップＳ６８）。
ここで、動作判定部８の制御部１０は、予め定められた設定時間が経過するまで判断ステップＳ６７を繰り返す。
【００６１】
次に、判断ステップＳ６８で、設定時間が経過したとき、動作判定部８の制御部１０は、通報部１８に通信回線を介して防犯管理センターへ通報させる（ステップＳ６９）。
そして、動作判定部８の制御部１０は、ステップＳ６９の通報の後、制御プログラムに従ってセキュリティシステムを終了する（ステップＳ７０）。
また、判断ステップＳ６４及び判断ステップＳ６７で、施錠認証部６がＩＣカードの接触により居住者の登録された識別符号を認識して施錠認証をしたとき、動作判定部８の制御部１０は、玄関ドアの施錠信号を出力して、開錠・施錠部１９を施錠した後に（ステップＳ７１）、セキュリティシステムを終了する（ステップＳ７０）。
【００６２】
以上のように、実施の形態３によれば、入力受付部１は、玄関ドア又は玄関ドア周辺に設けられ、被認証体の近接又は接触により開錠認証及び施錠認証を行い玄関ドアの開錠信号及び施錠信号を出力する開錠認証部５及び施錠認証部６であり、動作開始部８は、開錠信号及び施錠信号に基づいて玄関ドアの錠前を開錠及び施錠する開錠・施錠部１９と、開錠認識後一定時間内に施錠認識がないとき警告音を発生する警告音発生部１７と、警告音の発生後一定時間内に施錠認識がないとき通信回線を介して本装置を管理する防犯管理センターへ通報する通報部１８を含むように構成されているので、開錠認識後一定時間内に施錠認識がないとき警告音を発生し、警告音の発生後一定時間内に施錠認識がないとき防犯管理センターへ通報するので、施錠認識がないときに玄関ドアの開閉時における侵入者に対して警告音を発生し、その後さらに防犯管理センターへ通報をすることができるという効果が得られる。
【００６３】
また、この発明に係る玄関ドア防犯装置における被認証体は、個人を特定するため予め登録された居住者の指紋、顔などの生物学的特徴部又は識別符号が電子的に付与されたＩＣカードのいずれかで構成されているので、予め登録された居住者の指紋、顔などの生物学的特徴部又は識別符号が電子的に付与されたＩＣカードを被認証体として認証することによって居住者を特定して、開錠時及び施錠時に開錠認識及び施錠認識をすることができる。
【００６４】
実施の形態４．
実施の形態４においては、入力受付部１はドア開閉センサ３により構成され、動作開始部８はビデオカメラ録画部１４、メモリ１６及び表示部１５により構成されるようにした点が実施の形態１と異なる。それ以外は実施の形態１と同様であり、以下においては主に第1の実施形態とは異なる点について説明する。
【００６５】
メモリ１６は、録画映像を記録するビデオカメラ録画部１４に対して着脱可能に構成され、表示部１５は、メモリ１６に記録された録画映像を表示するように構成される。
メモリ１６は、例えば、ビデオカメラ録画部１４から取り外し可能なリムーバブルメディアとして用いられるフラッシュメモリで構成してもよい。表示部１５は、例えば、室内に設けられるインターホンに装備されるものであってもよい。ビデオカメラ録画部１４からフラッシュメモリを取り外した後にインターホンに装着した場合、インターホンに装備される表示部１５で、フラッシュメモリに記録された録画映像が表示される。
このとき、動作開始部８は、インターホンに装備される開錠及び施錠ボタンからの開錠信号及び施錠信号に基づいて玄関ドアの錠前を開錠及び施錠する開錠・施錠部１９を設けてもよい。
【００６６】
図９は、実施の形態４の玄関ドア防犯装置のビデオカメラ録画部１４の設置位置及びインターホンの表示部１５を示す。
ビデオカメラ録画部１４は、玄関ドア９１の室内側又は室外側の玄関ドア９１の周囲の上方に設置される（図９（ａ）、図９（ｂ））。この設置位置は、玄関ドア９１の開放時にビデオカメラ録画部１４で録画を開始し、玄関ドア９１の閉鎖後の設定時間経過時までを録画可能にする範囲の位置である。
【００６７】
ビデオカメラ録画部１４で録画された映像は、ビデオカメラ録画部１４に装着されているフラッシュメモリ９２に記録され（図９（ａ）、図９（ｂ））、ビデオカメラ録画部１４からフラッシュメモリ９２を取り外しインターホン９３に装着され、再生ボタンが押されると、インターホン９３に装備される表示部１５で、録画映像が表示される（図９（ｃ））。
【００６８】
図１０は、実施の形態４の玄関ドア防犯装置のビデオカメラ録画部１４のカメラの設置位置の例を示す。
玄関ドア１０１の戸先１０２にビデオカメラ録画部１４のカメラを内蔵させるようにしてもよい。この場合、玄関ドア１０１の開放時に玄関ドア１０１の戸先１０２が開放される側が録画範囲となる。このような玄関ドア１０１の戸先１０２にビデオカメラ録画部１４のカメラを内蔵させてあることを示すシール１０３を玄関ドア１０１の表面に貼ることで犯罪抑止につなげてもよい。
【００６９】
次に動作について説明する。
図１１は、実施の形態４の玄関ドア防犯装置の動作を示すフローチャートである。
図１１は、動作判定部８の制御プログラムに基づく制御部１０の動作を示している。
まず、動作判定部８の制御部１０は、ドア開閉センサ３からの入力があると制御プログラムを立ち上げてドア開閉センサ３がオンになったか否かを判断する（ステップＳ８１）。
判断ステップＳ８１で、ドア開閉センサ３がオンになったとき、動作判定部８の制御部１０は、セキュリティシステムを起動する（ステップＳ８２）。
【００７０】
次に、動作判定部８の制御部１０は、ビデオカメラ録画部１４に録画を開始させる（ステップＳ８３）。
ここで、動作判定部８の制御部１０は、ドア開閉センサ３がオフになったか否かを判断する（ステップＳ８４）。
判断ステップＳ８４で、ドア開閉センサ３がオフになったとき、動作判定部８の制御部１０は、タイマ１１を起動させてあらかじめ定められた設定時間が経過したか否かを判断する（ステップＳ８５）。
【００７１】
判断ステップＳ８５で、設定時間が経過したとき、動作判定部８の制御部１０は、ビデオカメラ録画部１４に録画を終了させる（ステップＳ８６）。
動作判定部８の制御部１０は、ビデオカメラ録画部１４の録画映像をメモリ１６に記録させる（ステップＳ８７）。
動作判定部８の制御部１０は、メモリ１６がビデオカメラ録画部１４から取り外され、インターホン９３に装着されて再生ボタン９４が押された場合、インターホン９３に装備される表示部１５にメモリ１６に記録された録画映像を表示させる（ステップＳ８８）。
そして、動作判定部８の制御部１０は、制御プログラムに従ってセキュリティシステムを終了する（ステップＳ８９）。
【００７２】
以上のように、実施の形態４によれば、動作開始部８は、録画映像を記録するビデオカメラ録画部１４に対して着脱可能なメモリ１６と、メモリ１６に記録された録画映像を表示する表示部１５を含むように構成されているので、録画映像をビデオカメラ録画部１４に対して着脱可能なメモリ１６に記録し、メモリ１６に記録された録画映像を表示部１５で表示することにより、侵入者を確認することができるという効果が得られる。
【００７３】
実施の形態５．
実施の形態５においては、入力受付部１はドア開閉センサ３及び音声検出部７により構成され、動作開始部８はビデオカメラ録画部１４、ライト照射部及び音声録音部２０により構成されるようにした点が実施の形態１と異なる。それ以外は実施の形態１と同様であり、以下においては主に第1の実施形態とは異なる点について説明する。
音声検出部７は、玄関ドアの周辺でマイクから一定値以上の大きさの音声の発生を検出して、検出信号を出力する。
ライト照射部２１は、動作判定部８の制御によりビデオカメラ録画部１４の録画開始と同時に玄関ドアの周辺をダウンライトで照射開始するように構成される。
【００７４】
音声録音部２０は、動作判定部８の制御により玄関ドアの周辺の一定値以上の大きさの音声の発生を検出したときに発生した音声を録音するように構成される。例えば、音声録音部２０は、録音する音声をマイクで集音して音声録音部２０内の記録媒体に録音する。
警告音発生部１７は、動作判定部８の制御により開閉信号の検出後一定時間内に一定値以上の大きさの音声の発生を検出したときスピーカから警告音を発生するように構成される。
通報部１８は、動作判定部８の制御により警告音の発生後一定時間内に一定値以上の大きさの音声の発生を検出したとき通信回線を介して防犯管理センターへ通報するように構成される。
【００７５】
図１２は、実施の形態５の玄関ドア防犯装置のビデオカメラ録画部１４、ライト照射部２１、音声検出部７及び音声録音部２０の配置状態を示し、図１２（ａ）はビデオカメラ録画部及びライト照射部２１、図１２（ｂ）は音声検出部７及び音声録音部２０である。
ビデオカメラ録画部１４及びライト照射部２１は、玄関ドア１２１を開閉可能に支持するドア枠１２２の室外側の上部１２３のカバー１２６内に配置される。これは、玄関ドア１２１の開放時に玄関ドア１２１の周辺でビデオカメラ録画部１４及びライト照射部２１の動作を可能とするためである。ライト照射部２１の玄関ドア１２１の周辺でのダウンライトの照射は、玄関ドア１２１の周辺でのビデオカメラ録画部１４による撮影映像のエリア１２５を鮮明にする役割を果たす。
【００７６】
このとき、動作開始部８として、室内側に表示部１５を設け、ビデオカメラ録画部１４で録画された映像を、配線１２７を介して表示部１５で表示させてもよい。
また、ビデオカメラ録画部１４及びライト照射部２１と共に、ドア枠１２２の室外側の上部１２４のカバー１２６内に音声検出部７、音声録音部２０及び警告音発生部１７が配置される。音声検出部７は、音声録音部２０と同一のマイクロホンで集音される。
これは、玄関ドア１２１の周辺での一定値以上の大きさの音声１２４の発生時に録画と共に音声録音部２０の動作を可能とし、一定値以上の大きさの音声１２４の発生が解消しないときに警告音発生部１７から警告音１２８を発生させるためである。さらに、通報部１８は、室内側の通信回線に近接して設けるようにしてもよい。
【００７７】
次に動作について説明する。
図１３は、実施の形態５の玄関ドア防犯装置の動作を示すフローチャートである。
図１３は、動作判定部８の制御プログラムに基づく制御部１０の動作を示している。
まず、動作判定部８８の制御部１０は、ドア開閉センサ３からの入力があると制御プログラムを立ち上げてドア開閉センサ３がオンになったか否かを判断する（ステップＳ９１）。
判断ステップＳ９１で、ドア開閉センサ３がオンになったとき、動作判定部８の制御部１０は、セキュリティシステムを起動する（ステップＳ９２）。
【００７８】
次に、動作判定部８の制御部１０は、ビデオカメラ録画部１４に録画を開始させると同時に、玄関ドアの周辺をダウンライトで照射を開始させる（ステップＳ９３）。
ここで、動作判定部８の制御部１０は、音声検出部７からの検出信号に基づいて、玄関ドアの周辺で一定値以上の大きさの音声の発生があったか否かを判断する（ステップＳ９４）。
判断ステップＳ９４で、一定値以上の大きさの音声の発生があったとき、動作判定部８の制御部１０は、音声録音部に録音を開始させる（ステップＳ９５）。
【００７９】
ここで、動作判定部８の制御部１０は、ドア開閉センサ３がオフになったか否かを判断する（ステップＳ９６）。
判断ステップＳ９６で、ドア開閉センサ３がオフのとき、動作判定部８の制御部１０は、タイマ１１を起動させてあらかじめ定められた設定時間が経過したか否かを判断する（ステップＳ９７）。
ここで、動作判定部８の制御部１０は、予め定められた設定時間が経過するまで判断ステップＳ９６を繰り返す。
【００８０】
次に、判断ステップＳ９７で、設定時間が経過したとき、動作判定部８の制御部１０は、録音部の録音、ビデオカメラ録画部１４の録画、及びダウンライトの照射を終了させる（ステップＳ９８）。
ここで、再度、動作判定部８の制御部１０は、音声検出部７からの検出信号に基づいて、玄関ドアの周辺で一定値以上の大きさの音声の発生があったか否かを判断する（ステップＳ９９）。
判断ステップＳ９９で、一定値以上の大きさの音声の発生があったとき、動作判定部８の制御部１０は、警告音発生部１７に警告音を発生させる（ステップＳ１００）。
【００８１】
ここで、動作判定部８の制御部１０は、さらに再度、音声検出部７からの検出信号に基づいて、玄関ドアの周辺で一定値以上の大きさの音声の発生があったか否かを判断する（ステップＳ１０１）。
判断ステップＳ１０１で、玄関ドアの周辺で一定値以上の大きさの音声の発生があったとき、動作判定部８の制御部１０は、タイマ１１を起動させて予め定められた設定時間が経過したか否かを判断する（ステップＳ１０２）。
ここで、動作判定部８の制御部１０は、予め定められた設定時間が経過するまで判断ステップＳ１０１を繰り返す。
【００８２】
次に、判断ステップＳ１０２で、設定時間が経過したとき、動作判定部８の制御部１０は、通報部１８に通信回線を介して防犯管理センターへ通報させる（ステップＳ１０３）。
そして、動作判定部８の制御部１０は、ステップＳ１０３の通報の後と、判断ステップＳ９９及び判断ステップＳ１０１で玄関ドアの周辺で一定値以上の大きさの音声の発生がないとき、制御プログラムに従ってセキュリティシステムを終了する（ステップＳ１０４）。
【００８３】
また、判断ステップＳ９４で、一定値以上の大きさの音声の発生がないとき、動作判定部８の制御部１０は、ドア開閉センサ３がオフになったか否かを判断する（ステップＳ１０５）。
判断ステップＳ１０５で、ドア開閉センサ３がオフのとき、動作判定部８の制御部１０は、タイマ１１を起動させて予め定められた設定時間が経過したか否かを判断する（ステップＳ１０６）。
次に、判断ステップＳ１０６で、設定時間が経過したとき、動作判定部８の制御部１０は、録音部の録音、ビデオカメラ録画部１４の録画、及びダウンライトの照射を終了させて（ステップＳ１０７）、制御プログラムに従ってセキュリティシステムを終了する（ステップＳ１０４）。
【００８４】
以上のように、実施の形態５によれば、入力受付部１は、玄関ドアと玄関ドアを開閉可能に支持するドア枠の玄関ドアの対向面に設けられ、玄関ドアの開閉信号を検出するドア開閉センサ３であり、動作開始部８は、開閉信号に基づいて玄関ドアの開放から閉鎖後一定期間の玄関ドアの周辺の映像を録画するビデオカメラ録画部１４と、ビデオカメラ録画部１４の録画開始と同時に玄関ドアの周辺を照射開始するライト照射部２１と、玄関ドアの周辺の一定値以上の大きさの音声の発生を検出したときに発生した音声を録音する音声録音部２０と、開閉信号の検出後一定時間内に一定値以上の大きさの音声の発生を検出したとき警告音を発生する警告音発生部１７と、警告音の発生後一定時間内に一定値以上の大きさの音声の発生を検出したとき通信回線を介して本装置を管理する防犯管理センターへ通報する通報部１８を含むように構成されているので、ビデオカメラ録画部１４の録画開始と同時に玄関ドアの周辺をライト照射部２１で照射開始し、玄関ドアの周辺の一定値以上の大きさの音声の発生を検出したときに発生した音声を音声録音部２０で録音するので、ビデオカメラ録画部１４の録画を鮮明にすることができると共に、居住者が侵入者に襲われた際の悲鳴等を録音することができることができるという効果が得られる。
【００８５】
さらに、開閉信号の検出後一定時間内に一定値以上の大きさの音声の発生を検出したとき警告音を発生し、警告音の発生後一定時間内に一定値以上の大きさの音声の発生を検出したとき防犯管理センターへ通報するので、一定値以上の大きさの音声の発生を検出したときに玄関ドアの開閉時における侵入者に対して警告音を発生し、その後さらに一定値以上の大きさの音声の発生が検出されたときに防犯管理センターへ通報をすることができる。
本発明は前述した各実施形態に限定されるものではなく、本発明の要旨の範囲内で、各種の変形実施が可能である。
【図面の簡単な説明】
【００８６】
【図１】本発明の実施の形態による玄関ドア防犯装置に適用される各部の構成を示すブロック図である。
【図２】実施の形態１の玄関ドア防犯装置のドアハンドルスイッチの取り付けの様子及び操作の様子を示す図であり、図２（ａ）は玄関ドアの概観図、図２（ｂ）はドアハンドルの部分拡大図、図２（ｃ）は図２（ｂ）のＡ矢視一部側面図、図２（ｄ）は図２（ｃ）のドアハンドルスイッチの操作状態を示す図である。
【図３】実施の形態１の玄関ドア防犯装置の動作を示すフローチャートである。
【図４】実施の形態２の玄関ドア防犯装置のドア開閉センサの取り付けの様子及び操作の様子を示す図である。
【図５】実施の形態２の玄関ドア防犯装置の動作を示すフローチャートである。
【図６】実施の形態３の玄関ドア防犯装置の指紋認識の場合の動作を示すフローチャートである。
【図７】実施の形態３の玄関ドア防犯装置の顔認識の場合の動作を示すフローチャートである。
【図８】実施の形態３の玄関ドア防犯装置のＩＣカード認識の場合の動作を示すフローチャートである。
【図９】実施の形態４の玄関ドア防犯装置のビデオカメラ録画部の設置位置及びインターホンの表示部を示す図であり、図９（ａ）、図９（ｂ）は玄関ドアの開放・閉鎖時のビデオカメラ録画部の設置位置、図９（ｃ）はインターホンの表示部である。
【図１０】実施の形態４の玄関ドア防犯装置のビデオカメラ録画部のカメラの設置位置の例を示す図である。
【図１１】実施の形態４の玄関ドア防犯装置の動作を示すフローチャートである。
【図１２】実施の形態５の玄関ドア防犯装置のビデオカメラ録画部、ライト照射部２１、音声検出部７及び音声録音部２０の配置状態を示す図であり、図１２（ａ）はビデオカメラ録画部及びライト照射部２１、図１２（ｂ）は音声検出部７及び音声録音部２０である。
【図１３】実施の形態５の玄関ドア防犯装置の動作を示すフローチャートである。
【符号の説明】
【００８７】
１…入力受付部、２…ドアハンドルスイッチ、３…ドア開閉センサ、４…帰宅確認スイッチ、５…開錠認証部、６…施錠認証部、７…音声検出部、８…動作判定部、９…判定部、１０…制御部、１１…タイマ、１２…メモリ、１３…動作開始部、１４…ビデオカメラ録画部、１５…表示部、１６…メモリ、１７…警告音発生部、１８…通報部、１９…開錠・施錠部、２０…音声録音部、２１…ライト照射部
【図１】
2010140288.tif 000003
【図２】
2010140288.tif 000004
【図３】
2010140288.tif 000005
【図４】
2010140288.tif 000006
【図５】
2010140288.tif 000007
【図６】
2010140288.tif 000008
【図７】
2010140288.tif 000009
【図８】
2010140288.tif 000010
【図９】
2010140288.tif 000011
【図１０】
2010140288.tif 000012
【図１１】
2010140288.tif 000013
【図１２】
2010140288.tif 000014
【図１３】
2010140288.tif 000015